(57)【要約】      （修正有）【課題】印刷がしやすく、内容物を汚染することなく、かつ、上方から見ても、底側から見ても、美観に優れたイラストを備えた、意匠性の高い包装用容器を提供する。【解決手段】包装用容器は、不透明な蓋部材１と透明な容器本体２とからなる。蓋部材は、天壁１１と側壁１２とからなる偏平な有蓋筒状をなし、容器本体は、底壁２３と側壁２２とからなる偏平な有底筒状をなしている。そして、容器本体は、底壁の底面２３ａにイラストを有し、イラストは、半透明塗料からなるベタ塗部分と、不透明塗料からなる線状部分とを有している。【選択図】図１
0003210594.tif 000002
【実用新案登録請求の範囲】
【請求項１】
透明材料からなり底壁と前記底壁の周縁に設けられる側壁とからなる偏平な有底筒状をなす容器本体と、
不透明材料からなり天壁と前記天壁の周縁に設けられる側壁とからなる偏平な有蓋筒状をなす蓋部材と
を備え、
前記容器本体は、前記底壁の外面からなる底面にイラストを有し、
前記イラストは、半透明塗料からなるベタ塗部分と、不透明塗料からなる線状部分とを含む包装用容器。
【請求項２】
前記蓋部材が、白色である請求項１に記載の包装用容器。
【請求項３】
前記容器本体の底壁が、３ｍｍ以上５ｍｍ以下の厚みを有する請求項１、又は請求項２に記載の包装用容器。
【請求項４】
前記容器本体は、その側壁の上縁に垂設される雄ねじ部を備え、
前記雄ねじ部外周に、蓋部材を閉じた際に前記蓋部材の側壁の下端縁に対向する段差部を有する請求項１から請求項３のいずれか１項に記載の包装用容器。
【請求項５】
前記容器本体の側壁と、前記蓋部材の側壁が面一に設けられている請求項４に記載の包装用容器。
【請求項６】
前記容器本体を前記蓋部材で完全に閉塞した状態において、前記蓋部材の側壁の下端縁と前記段差部の間に間隙を有する請求項１から請求項５に記載の包装用容器。
【請求項７】
前記底面は、凹面からなる請求項１から請求項６のいずれか１項に記載の包装用容器。
【請求項８】
前記蓋部材の底面と側面の間の角部がＲに設けられ、前記蓋部材の内側の内底面と側壁底壁上面の間の隅部がＲに設けられている請求項１から請求項７のいずれか１項に記載の包装用容器。
【考案の詳細な説明】
【技術分野】
【０００１】
この考案は、保湿用のクリーム等を包装する包装用容器に関し、特に、動物や人等のイラストを付すことで意匠性を高めた包装用容器に関する。
【背景技術】
【０００２】
本考案者は、保湿クリーム等を販売するに当たり、その容器に動物や人等のイラストを付し、保湿クリーム等の使用後も容器を小物入れとして使いたくなるようなデザインにして、商品全体の魅力を高めることに想到する。
【０００３】
そして、各種のデザインについて、鋭意検討を重ねた結果、容器本体を透明とし、容器の内底にイラストを付すことで、容器本体が見る角度により透明に見えたり、色付きに見えたりする効果が得られることを知見する。
【考案の概要】
【考案が解決しようとする課題】
【０００４】
しかし、容器の内側にイラストを付すには、印刷がし辛いという問題があり、また、保湿クリーム等を内容物とする場合には、塗料が溶け出して内容物の汚染が懸念されるという問題が有る。さらに、透明な容器の内面にイラストを付した場合、底側から見ると、イラストの裏側が見えて意匠性が損なわれるという問題が有る。
本考案は、上記課題に鑑みてなされたものであり、印刷がしやすく、内容物を汚染することなく、かつ、上方から見ても、底側から見ても、美観に優れた意匠性の高い包装用容器の提供を目的とする。
【課題を解決するための手段】
【０００５】
上記課題を解決するためになされた考案は、透明材料からなり底壁と前記底壁の周縁に設けられる側壁とからなる偏平な有底筒状をなす容器本体と、不透明材料からなり天壁と前記天壁の周縁に設けられる側壁とからなる偏平な有蓋筒状をなす蓋部材とを備え、前記容器本体は、前記底壁の外面からなる底面にイラストを有し、前記イラストは、半透明塗料からなるベタ塗部分と、不透明塗料からなる線状部分とを含む包装用容器である。
【０００６】
本考案に係る包装用容器では、このように、容器本体の下面側にイラストを設けることで、容易にイラストを印刷することができ、また、内容物にイラスト用の塗料が溶け出すことを防止できる。
また、容器本体を透明としたので、底壁の側面を通して、上方からは底面のイラストを、下方からは底壁上面に映ったイラストを見ることができる。
さらに、ベタ塗部分を半透明塗料により着色し、線状部分を不透明塗料により着色したので、底壁上面に映ったイラストが、イラストの裏側を投影しているにもかかわらず、イラストの表側と同じように美しい色合いに見える。そして、内容物が無くなった後に、容器本体の上側（内側）から底壁を通して見えるイラストも裏面でありながら、表面と同じように美しい色合いで見える。
【０００７】
前記蓋部材は、白色であることが好ましい。こうすることで、底壁上面に、より鮮明にイラストを映すことができる。
【０００８】
前記容器本体の底壁は、３ｍｍ以上５ｍｍ以下の厚みを有することが好ましい。底壁の厚みが３ｍｍ未満であると、底壁の側面から底壁上面に映ったイラストを十分に視認できない虞がある。また、底壁の厚みが５ｍｍを超えると、底壁上面へイラストの映り難くなる虞がある。
【０００９】
前記容器本体は、その側壁の上縁に垂設される雄ねじ部を備え、前記雄ねじ部外周に、蓋部材を閉じた際に前記蓋部材の側壁の下端縁に対向する段差部を有することが好ましい。こうすることで、当該段差部にも底面のイラストが映り、さらに容器の意匠性を高めることができる。
【００１０】
前記容器本体の側壁と、前記蓋部材の側壁が面一に設けられていることが好ましい。こうすることで、さらに、底壁上面に明確にイラストを映しだすことができる。
【００１１】
前記容器本体を前記蓋部材で完全に閉塞した状態において、前記蓋部材の側壁の下端縁と前記段差部の間に間隙を有することが好ましい。こうすることで、蓋部材を締めた状態でも、当該隙間から、段差部に映ったイラストの色を楽しむことができる。
【００１２】
前記底面は、凹面からなることが好ましい。こうすることで、容器本体の側壁にイラストの色合いを映すことができる。
【００１３】
前記蓋部材の底面と側面の間の角部がＲに設けられ、前記蓋部材の内側の内底面と側壁底壁上面の間の隅部がＲに設けられていることが好ましい。こうすることで、容器本体を空の状態で上方から内側を見ると、イラストを投影して着色した底壁上面と隅部の間に、底面周縁の角部からなる透明なラインが入った模様を楽しむことができる。
【考案の効果】
【００１４】
以上説明したように、本考案の包装用容器によれば、印刷がしやすく、内容物を汚染することなく、かつ、上方から見ても、底側から見ても、意匠性に優れた包装用容器を提供できる。
【図面の簡単な説明】
【００１５】
【図１】本考案の一の実施形態に係る包装用容器の使用状態を示す斜視図である。
【図２】図１に示した包装用容器の平面図である。
【図３】図１に示した包装用容器の底面図である。
【図４】図１に示した包装用容器の側面図である。
【図５】図１に示した容器本体の平面図である。
【図６】図１に示した蓋部材を容器本体から外した状態の側面図である。
【図７】図１に示した容器本体の縦断面図である。
【図８】図１に示した容器本体の底面を上側にした斜視図である。
【図９】図１に示した容器本体を上方から見た斜視図である。
【考案を実施するための形態】
【００１６】
以下、適宜図面を用いながら本考案の実施形態について詳述する。ただし、本考案は、以下の実施形態に限定されるものではない。
図１乃至図４は、本考案の一の実施形態に係る包装用容器１００を示している。包装用容器１００は、白色の不透明な硬質樹脂からなる蓋部材１と、アクリル等の透明な硬質樹脂からなる容器本体２とを備えている。容器本体２は、ガラス等他の透明材料を用いることもできる。
【００１７】
蓋部材１は、図１、図２に示すように、下方に開口した偏平な有蓋円筒状をなし、円形板状の天壁１１と、天壁１１の周縁から垂下する側壁１２とを備えている。側壁１２の内側には、容器本体２を蓋部材１で閉じる際に用いる雌ねじ（不図示）が設けられている。天壁１１の上面には、動物や人等のイラスト３が印刷されている。また、天壁１１の内面（下面）に密着して発泡樹脂からなる円盤状のシール部材（不図示）が設けられている。
【００１８】
容器本体２は、図１に示すように、上方に開口した偏平な略有底円筒状をなし、円形板状の底壁２３と、底壁２３の周縁に垂設される偏平筒状の側壁２２（図７参照）と、側壁２２の上端縁に垂設され側壁２２よりやや小径に設けられた偏平筒状の雄ねじ部２１とを有している。雄ねじ部２１の外面には、蓋部材１の雌ねじに螺合する雄ねじ２１ａが設けられている。また、側壁２２と雄ねじ部２１の間には、円環板状の段差部２２ａが設けられている。
【００１９】
底壁２３は、図７に示すように、底面２３ａが上方へ窪んだ凹面に形成され、その周縁における角部２２ｂは、角を丸めてＲが設けられている。同様に、底壁２３の底壁上面２３ｂの周縁における隅部２２ｃも角を丸めてＲが設けられている。底壁２３の厚みｔは、３ｍｍ以上５ｍｍ以下が好ましく、例えば４．５ｍｍに設けられる。
【００２０】
底壁２３の底面２３ａには、図８に示すように、蓋部材１のイラスト３と同じ図柄からなるイラスト４が印刷されている。イラスト４は、半透明塗料からなるベタ塗部分４ａと、塗料が印刷されない透明部分４ｂと、不透明塗料からなる線状部分４ｃとを適宜に組み合わせて描かれている。
【００２１】
蓋部材１、及び容器本体２は、図４に一点鎖線で示すように、蓋部材１を十分に締め付けた場合に、側面視で、互いの側壁１２、２２の周面が面一となるよう設けられている。また、この状態で、蓋部材１の側壁１２の下縁１２ａと容器本体２の段差部２２ａの間には、隙間５が設けられている。
【００２２】
容器本体２の底面２３ａには、製造者や販売者、保湿クリームの効能・用法、注意書き等が記載されたラベル（不図示）が貼設される。当該ラベルは、底面２３ａと略同サイズの円形からなり、イラスト４は、覆い隠される。
【００２３】
次に包装用容器１００の使用方法、及び各部の作用・効果について説明する。包装用容器１００は、図１に示すように、保湿クリームＡを販売する際の包装用容器として用いられる。
【００２４】
まず、保湿クリームＡを使用するために蓋部材１を開ける際には、図２に示すように、蓋部材１に印刷されたイラスト３を楽しむことができる。
【００２５】
蓋部材１を開放して、保湿クリームＡを手に取る際には、容器本体２は、透明材料からなるため、上方（内側）から底面２３ａのイラスト４が透けて見える。そのため、保湿クリームＡが透明性を有する場合には、図１に示すように、保湿クリームＡを通して、ぼんやりと透けるイラスト４の投影４Ａを楽しむことができる。保湿クリームＡを使い切った後には、図５、図９に示すように、底壁２３を通して、底面２３ａのイラスト４の裏側の投影４Ｃが現れる。
【００２６】
また、図１、図９に示すように、容器本体２を斜め上方から見た際には、底壁２３の円筒形の側面２３ｃにより拡大された、底面２３ａのイラスト４の投影４Ｂが見える。
【００２７】
また、図８に示すように、容器本体２を底面２３ａ側から斜めに見ると、底壁２３の側面２３ｃを通して、底壁２３の上面（底壁上面）２３ｂに映ったイラスト４の拡大された投影４Ｄを見ることができる。底面２３ａのラベルを剥がせば、底面２３ａに印刷された実物のイラスト４と、底壁上面２３ｂに映ったイラスト４の投影４Ｄが二重に目える様を楽しむことできる。
【００２８】
この際、イラスト４のベタ塗部分４ａは、半透明塗料で印刷されているので、投影４Ｂ乃至４Ｃにおいても元の色と同じ色に映し出される。また、ベタ塗部分４ａ、及び透明部分４ｂから、光を取り込むことができるので、底壁上面２３ｂに映ったイラスト４の投影４Ｄを明るくできる。さらに、イラスト４のベタ塗部分４ａは、半透明塗料により印刷されているため、ベタ塗部分４ａの上に印刷された線状部分４ｃも透けるため、投影４Ｄはその裏面であるにもかかわらず、表面のように見える。
【００２９】
また、底壁２３は、厚みｔが３ｍｍ以上に設けられるため、底壁２３の側面を通して、イラスト４の投影４Ｂや、底壁上面２３ｂに映ったイラスト４の投影４Ｄを十分に視認することができる。また、底壁２３は、厚みｔが５ｍｍ以下に設けられるため、底壁上面２３ｂに十分にイラスト４の投影４Ｄを映すことができる。
【００３０】
また、蓋部材１の側壁１２の外面と、容器本体２の側壁２２の外面が面一に設けられため、上方から底面２３ａに十分に光を当てて、容器本体２の底壁上面２３ｂに十分にイラストの投影４Ｄを映すだすことができる。また、容器本体２の段差部２２ａから光が入り込むことを抑制して、底壁上面２３ｂの投影４Ｄが見づらくなることを抑制できる。
【００３１】
また、容器本体２は、角部２２ｂ、及び隅部２２ｄが丸みを帯びたＲに設けられているため、図９に示すように、容器本体２を斜め上方から見た際に、段差部２２ａと、底壁上面２３ｂと、隅部２２ｃがイラスト４のベタ塗部分４ａの色に染まって見え、その中を、透明な角部２２ｂがライン状に通過する様を楽しむことができる。
【００３２】
さらに、蓋部材１で容器本体２を閉塞した際に、蓋部材１と容器本体２の間に隙間５が設けられるため、当該隙間を通して段差部２２ａに映るイラストの色を楽しむことができる。
【００３３】
本考案の包装用容器は、上記の実施形態に限らず、例えば、容器本体、及び蓋部材は、円筒状に限らず、偏平の筒状をなしていれば、四角筒状や六角筒状など、他の形状を採用してもよい。蓋部材は、不透明であれば白色に限られない。蓋部材と容器本体は、ねじではなく、嵌合用の突起と凹部等、他の公知の係合手段により閉じるようにしてもよい。イラストは、人や動物に限られず、イラストの透明部は設けなくともよい。
【符号の説明】
【００３４】
１００  包装用容器
１  蓋部材
１１  天壁
１１ａ  下端縁
１２  側壁
２  容器本体
２１  雄ねじ部
２２  側壁
２２ａ  段差部
２２ｂ  角部
２２ｃ  隅部
２３  底壁
２３ａ  底面
４  イラスト
４ａ  ベタ塗部分
４ｃ  線状部分
５  間隙
【図１】
0003210594.tif 000003
【図２】
0003210594.tif 000004
【図３】
0003210594.tif 000005
【図４】
0003210594.tif 000006
【図５】
0003210594.tif 000007
【図６】
0003210594.tif 000008
【図７】
0003210594.tif 000009
【図８】
0003210594.tif 000010
【図９】
0003210594.tif 000011
【手続補正書】
【提出日】平成29年3月29日(2017.3.29)
【手続補正１】
【補正対象書類名】実用新案登録請求の範囲
【補正対象項目名】全文
【補正方法】変更
【補正の内容】
【実用新案登録請求の範囲】
【請求項１】
透明材料からなり底壁と前記底壁の周縁に設けられる側壁とからなる偏平な有底筒状をなす容器本体と、
不透明材料からなり天壁と前記天壁の周縁に設けられる側壁とからなる偏平な有蓋筒状をなす蓋部材と
を備え、
前記容器本体は、前記底壁の外面からなる底面にイラストを有し、
前記イラストは、半透明塗料からなるベタ塗部分と、不透明塗料からなる線状部分とを含む包装用容器。
【請求項２】
前記蓋部材が、白色である請求項１に記載の包装用容器。
【請求項３】
前記容器本体の底壁が、３ｍｍ以上５ｍｍ以下の厚みを有する請求項１、又は請求項２に記載の包装用容器。
【請求項４】
前記容器本体は、その側壁の上縁に垂設される雄ねじ部を備え、
前記雄ねじ部外周に、蓋部材を閉じた際に前記蓋部材の側壁の下端縁に対向する段差部を有する請求項１から請求項３のいずれか１項に記載の包装用容器。
【請求項５】
前記容器本体の側壁と、前記蓋部材の側壁が面一に設けられている請求項４に記載の包装用容器。
【請求項６】
前記容器本体を前記蓋部材で完全に閉塞した状態において、前記蓋部材の側壁の下端縁と前記段差部の間に間隙を有する請求項４、又は請求項５に記載の包装用容器。
【請求項７】
前記底面は、凹面からなる請求項１から請求項６のいずれか１項に記載の包装用容器。
【請求項８】
前記蓋部材の底面と側面の間の角部がＲに設けられ、前記蓋部材の内側の内底面と側壁底壁上面の間の隅部がＲに設けられている請求項１から請求項７のいずれか１項に記載の包装用容器。